(57)【要約】【課題】個別チャネルを持たない移動局の下り共通チャンネルの送信プロファイルを最適化する無線通信システム及びその方法と、それらに用いられる装置及びプログラムを提供すること。【解決手段】複数の移動局と、無線アクセスネットワーク制御システムとを有する無線通信システムであって、無線アクセスネットワーク制御システムは、個別チャネルを持たない複数の移動局から情報を収集する情報収集部と、収集された情報に基づいて、下り共通チャンネルの送信プロファイルを設定する送信プロファイル設定部とを有することを特徴とする。【選択図】図１
2008306416.tif 000002
【特許請求の範囲】
【請求項１】
複数の移動局と、無線アクセスネットワーク制御システムとを有する無線通信システムであって、
前記無線アクセスネットワーク制御システムは、
個別チャネルを持たない複数の移動局から情報を収集する情報収集部と、
前記収集された情報に基づいて、下り共通チャンネルの送信プロファイルを設定する送信プロファイル設定部と
を有することを特徴とする無線通信システム。
【請求項２】
前記送信プロファイル設定部は、前記個別チャネルを持たない移動局で共通の下り共通チャネルの送信プロファイルを設定することを特徴とする請求項１に記載の無線通信システム。
【請求項３】
前記情報は、下り共通チャネルで送信されるデータに対する応答通知を含み、上り共通チャネルで送信されることを特徴とする請求項１又は請求項２に記載の無線通信システム。
【請求項４】
前記無線アクセスネットワーク制御システムは、少なくとも基地局を有することを特徴とする請求項１から請求項３のいずれかに記載の無線通信システム。
【請求項５】
前記無線アクセスネットワーク制御システムは、少なくとも基地局と基地局制御装置を有することを特徴とする請求項１から３のいずれかに記載の無線通信システム。
【請求項６】
前記個別チャネルを持たない移動局は、ＣＥＬＬ＿ＦＡＣＨ状態の移動局、ＣＥＬＬ＿ＰＣＨ状態の移動局、ＵＲＡ＿ＰＣＨ状態の移動局のいずれかであることを特徴する請求項１から請求項５のいずれかに記載の無線通信システム。
【請求項７】
前記情報収集部は、前記上り共通チャネルを介して送信されてくる、各移動局が送信した情報を予め設定したサンプリング数分の収集を行うことを特徴とする請求項１から請求項６のいずれかに記載の無線通信システム。
【請求項８】
前記上り共通チャネルが、ＰＲＡＣＨであることを特徴とする請求項１から請求項７のいずれかに記載の無線通信システム。
【請求項９】
前記送信プロファイル設定部は、前記収集した情報に基づいて、前記個別チャネルを持たない複数の移動局の受信品質を推定することを特徴とする請求項１から請求項８のいずれかに記載の無線通信システム。
【請求項１０】
前記送信プロファイル設定部は、推定した複数の移動局の受信品質に基づいて、前記送信プロファイルを設定することを特徴とする請求項９に記載の無線通信システム。
【請求項１１】
前記送信プロファイル設定部は、前記収集した情報に基づいてＮＡＣＫ率を算出し、前記ＮＡＣＫ率に基づいて、前記送信プロファイル設定することを特徴とする請求項１から請求項１０のいずれかに記載の無線通信システム。
【請求項１２】
前記送信プロファイルは、移動局に対する送信電力、送信データのＭＣＳ（Modulation and coding scheme）、送信データの再送回数、送信データの再送間隔の少なくともひとつを定めるものであることを特徴とする請求項１から請求項１１のいずれかに記載の無線通信システム。
【請求項１３】
基地局を制御する基地局制御装置であって、
個別チャネルを持たない複数の移動局から情報を収集する情報収集部と、
前記収集された情報に基づいて、下り共通チャンネルの送信プロファイルを設定する送信プロファイル設定部と
を有することを特徴とする基地局制御装置。
【請求項１４】
前記送信プロファイル設定部は、前記個別チャネルを持たない移動局で共通の下り共通チャネルの送信プロファイルを設定することを特徴とする請求項１３に記載の基地局制御装置。
【請求項１５】
前記情報は、下り共通チャネルで送信されるデータに対する応答通知を含み、上り共通チャネルで送信されることを特徴とする請求項１３又は請求項１４に記載の基地局制御装置。
【請求項１６】
前記個別チャネルを持たない移動局は、ＣＥＬＬ＿ＦＡＣＨ状態の移動局、ＣＥＬＬ＿ＰＣＨ状態の移動局、ＵＲＡ＿ＰＣＨ状態の移動局のいずれかであることを特徴する請求項１３から請求項１５のいずれかに記載の基地局制御装置。
【請求項１７】
前記情報収集部は、上り共通チャネルを介して送信されてくる、各移動局が送信した情報を予め設定したサンプリング数分の収集を行うことを特徴とする請求項１３から請求項１６のいずれかに記載の基地局制御装置。
【請求項１８】
前記上り共通チャネルが、ＰＲＡＣＨであることを特徴とする請求項１３から請求項１７のいずれかに記載の基地局制御装置。
【請求項１９】
前記送信プロファイル設定部は、前記収集した情報に基づいて、前記個別チャネルを持たない複数の移動局の受信品質を推定することを特徴とする請求項１３から請求項１７のいずれかに記載の基地局制御装置。
【請求項２０】
前記送信プロファイル設定部は、推定した複数の移動局の受信品質に基づいて、前記送信プロファイルを設定することを特徴とする請求項１９に記載の基地局制御装置。
【請求項２１】
前記送信プロファイル設定部は、前記収集した情報に基づいてＮＡＣＫ率を算出し、前記ＮＡＣＫ率に基づいて、前記送信プロファイル設定することを特徴とする請求項１３から請求項２０のいずれかに記載の基地局制御装置。
【請求項２２】
前記送信プロファイルは、移動局に対する送信電力、送信データのＭＣＳ（Modulation and coding scheme）、送信データの再送回数、送信データの再送間隔の少なくともひとつを定めるものであることを特徴とする請求項１３から請求項２１のいずれかに記載の基地局制御装置。
【請求項２３】
無線通信方法であって、
個別チャネルを持たない複数の移動局は、無線アクセスネットワーク制御システムに情報を送信し、
前記無線アクセスネットワーク制御システムは、前記複数の移動局から情報を収集し、収集した情報に基づいて、下り共通チャンネルの送信プロファイルを設定する
ことを特徴とする無線通信方法。
【請求項２４】
前記無線アクセスネットワーク制御システムは、前記個別チャネルを持たない移動局で共通の下り共通チャネルの送信プロファイルを設定することを特徴とする請求項２３に記載の無線通信方法。
【請求項２５】
前記情報は、下り共通チャネルで送信されるデータに対する応答通知を含み、上り共通チャネルで送信されることを特徴とする請求項２３又は請求項２４に記載の無線通信方法。
【請求項２６】
前記無線アクセスネットワーク制御システムが、少なくとも基地局を有することを特徴とする請求項２３から請求項２５のいずれかに記載の無線通信方法。
【請求項２７】
前記無線アクセスネットワーク制御システムは、少なくとも基地局と基地局制御装置とを有することを特徴とする請求項２３から請求項２６のいずれかに記載の無線通信方法。
【請求項２８】
前記個別チャネルを持たない移動局は、ＣＥＬＬ＿ＦＡＣＨ状態の移動局、ＣＥＬＬ＿ＰＣＨ状態の移動局、ＵＲＡ＿ＰＣＨ状態の移動局のいずれかであることを特徴する請求項２３から請求項２７のいずれかに記載の無線通信方法。
【請求項２９】
各移動局が測定した受信品質の情報を予め設定したサンプリング数分の収集を行うことを特徴とする請求項２３から請求項２８のいずれかに記載の無線通信方法。
【請求項３０】
前記上り共通チャネルが、ＰＲＡＣＨであることを特徴とする請求項２３から請求項２９のいずれかに記載の無線通信方法。
【請求項３１】
前記無線アクセスネットワーク制御システムは、前記収集した情報に基づいて、前記個別チャネルを持たない複数の移動局の受信品質を推定することを特徴とする請求項２３から請求項３０のいずれかに記載の無線通信方法。
【請求項３２】
前記無線アクセスネットワーク制御システムは、推定した複数の移動局の受信品質に基づいて、前記送信プロファイルを設定することを特徴とする請求項３１に記載の無線通信方法。
【請求項３３】
前記無線アクセスネットワーク制御システムは、前記収集した情報に基づいてＮＡＣＫ率を算出し、前記ＮＡＣＫ率に基づいて、前記送信プロファイル設定することを特徴とする請求項２３から請求項３２のいずれかに記載の無線通信方法。
【請求項３４】
前記送信プロファイルは、移動局に対する送信電力、送信データのＭＣＳ（Modulation and coding scheme）、送信データの再送回数、送信データの再送間隔の少なくともひとつを定めるものであることを特徴とする請求項２３から請求項３２のいずれかに記載の無線通信方法。
【請求項３５】
基地局であって、
個別チャネルを持たない複数の移動局から収集された情報に基づいて基地局制御装置が作成した送信プロファイルに基づいて、下り共通チャンネルを制御する送信プロファイル処理部を有することを特徴とする基地局。
【請求項３６】
基地局であって、
個別チャネルを持たない複数の移動局から収集された情報に基づいて、下り共通チャンネルの送信プロファイルを設定する送信プロファイル設定部と、
前記設定された送信プロファイルに基づいて、前記下り共通チャンネルを制御する送信プロファイル処理部を有することを特徴とする基地局。
【請求項３７】
情報処理装置のプログラムであって、
個別チャネルを持たない複数の移動局から情報を収集する処理と、
前記収集された情報に基づいて、下り共通チャンネルの送信プロファイルを設定する処理と
を情報処理装置に実行させることを特徴とするプログラム。
【請求項３８】
情報処理装置のプログラムであって、
個別チャネルを持たない複数の移動局から収集された情報に基づいて、下り共通チャンネルの送信プロファイルを設定する処理と、
前記設定された送信プロファイルに基づいて、下り共通チャンネルを制御する処理と
を情報処理装置に実行させることを特徴とするプログラム。
【発明の詳細な説明】
【技術分野】
【０００１】
本発明は無線通信システム及びその方法とそれらに用いられる装置及びプログラムに関し、特に、下り共通チャンネルを制御する無線通信システム及びその方法とそれらに用いられる装置及びプログラムに関する。
【背景技術】
【０００２】
例えばCELL_FACH状態にある移動局は、主基地局を特定しておらず、通信をする都度最適な基地局を選択し、基地局制御装置と接続している。そのため、CELL_FACH状態にある移動局は個別チャネルが持てず、共通チャネルを用いて上下方向のデータ送受信を行っている。
【０００３】
HSDPA（High Speed Downlink Packet Access）方式は、第三世代移動通信システムの標準化プロジェクト3GPP（3rd Generation Partnership Project）の仕様書（非特許文献１）に規定されており、図２１に示すように下り高速パケット通信用として、共通チャネルHS-PDSCH（High Speed-Physical Downlink Shared Channel）と共通制御チャネルHS-SCCH（High Speed-Shared Control Channel）がある。
【０００４】
HSDPAではHARQ（Hybrid Automatic Repeat Request）、MCS（Modulation and coding scheme）という再送制御技術が規定されている。
【０００５】
HARQは、データの再送時において、移動局が過去の受信データを保存しておき、再送データと合成することで受信品質を向上させる機能である。
【０００６】
また、MCSは、変調方式と誤り訂正の符号化率のフォーマットを毎TTIごとに選択する機能である。このフォーマットは3GPPの仕様書（非特許文献２）に規定されているMCS tableを参照している。
【０００７】
3GPP標準化提案会議において、CELL_FACH状態にある移動局が高速化のためにHSDPAを使うことが規定された（非特許文献３）。このような、CELL_FACH状態でHSDPAを使う移動局のことをenhanced CELL_FACHユーザとも呼ぶ。
【０００８】
その際に、CELL_FACH状態は個別チャネルを持たないため、上り個別制御チャネルHS-DPCCHを用いてCQI（Channel Quality Indicator）やHARQのACKやNACKの情報を直接かつ高速に基地局に報告することはできず、上り方向への通信は上り共通チャネルPRACHを用いて基地局制御装置に送信するのみである。ネットワーク構成図を図１に示す。
【非特許文献１】3GPP TS25.308 v5.7.0（2004-12）
【非特許文献２】3GPP TR25.848 v4.0.0（2001-03）
【非特許文献３】標準化提案書（R2-072261）
【発明の開示】
【発明が解決しようとする課題】
【０００９】
従来のCELL_DCH状態にある移動局では、上り個別制御チャネルHS-DPCCHでCQI／ACK／NACK情報を移動局から基地局に送信している。基地局はその情報を元にMCSによる下り送信の最適化、HARQによる移動局の受信品質の向上を行っている。
【００１０】
ところが、CELL_FACH状態の移動局は、前述したように個別チャネルが存在しないので、CQI、ACKやNACKの情報を移動局から基地局に送信することができない。そのため、通信品質の最適化をするための情報を移動局から得ることができない。
【００１１】
この対策として、ひとつの移動局が測定した品質情報をRRC messageにpiggybackさせ、上り共通チャネルPRACHを用いて基地局制御装置に報告し、基地局制御装置はその報告を基にHS-PDSCHにマッピングされるトランスポートチャネルHS-DSCHのHeaderにTransmission Power Levelの値を挿入し、基地局へ送信する。基地局はTransmission Power Levelを基準にMCSを変更することで送信プロファイルを最適化する方法が規定されている（非特許文献３）。この一連の動作を図２２に示す。
【００１２】
しかし、この方法は、ひとつの移動局で測定した品質情報をRRC messageにPiggybackさせ、上り共通チャネルPRACHを使って基地局制御装置に報告することが前提である。そのため、上り方向へのRRC message送信がなく、下りデータが頻繁に送信されてくる場合には、送信プロファイルの最適化を継続して行うことができない。
【００１３】
RRC messageにPiggybackさせずに、移動局における測定結果のみを個別RRC messageとして基地局制御装置へ送信することも可能だが、その場合には上り共通チャネルPRACHの負荷が増加し、移動局の電力消費の増加および上りのノイズフロア増加という問題が発生する。
【００１４】
また、下りデータが多い場合にはCELL_DCHに遷移する方法も考えられるが、CELL_DCHは個別チャネル分の電力リソースやコードリソースを割り当てる必要があるため、リソース効率の減少につながってしまう。
【００１５】
そこで、本発明は上記課題に鑑みて発明されたものであって、その目的は個別チャネルを持たない移動局の下り共通チャンネルの送信プロファイルを最適化する無線通信システム及びその方法と、それらに用いられる装置及びプログラムを提供することにある。
【課題を解決するための手段】
【００１６】
上記課題を解決する本発明は、複数の移動局と、無線アクセスネットワーク制御システムとを有する無線通信システムであって、前記無線アクセスネットワーク制御システムは、個別チャネルを持たない複数の移動局から情報を収集する情報収集部と、前記収集された情報に基づいて、下り共通チャンネルの送信プロファイルを設定する送信プロファイル設定部とを有することを特徴とする。
【００１７】
上記課題を解決する本発明は、基地局を制御する基地局制御装置であって、個別チャネルを持たない複数の移動局から情報を収集する情報収集部と、前記収集された情報に基づいて、下り共通チャンネルの送信プロファイルを設定する送信プロファイル設定部とを有することを特徴とする。
【００１８】
上記課題を解決する本発明は、無線通信方法であって、個別チャネルを持たない複数の移動局は、無線アクセスネットワーク制御システムに情報を送信し、前記無線アクセスネットワーク制御システムは、前記複数の移動局から情報を収集し、収集した情報に基づいて、下り共通チャンネルの送信プロファイルを設定することを特徴とする。
【００１９】
上記課題を解決する本発明は、基地局であって、個別チャネルを持たない複数の移動局から収集された情報に基づいて基地局制御装置が作成した送信プロファイルに基づいて、下り共通チャンネルを制御する送信プロファイル処理部を有することを特徴とする。
【００２０】
上記課題を解決する本発明は、基地局であって、個別チャネルを持たない複数の移動局から収集された情報に基づいて、下り共通チャンネルの送信プロファイルを設定する送信プロファイル設定部と、前記設定された送信プロファイルに基づいて、前記下り共通チャンネルを制御する送信プロファイル処理部を有することを特徴とする。
【００２１】
上記課題を解決する本発明は、情報処理装置のプログラムであって、個別チャネルを持たない複数の移動局から情報を収集する処理と、前記収集された情報に基づいて、下り共通チャンネルの送信プロファイルを設定する処理とを情報処理装置に実行させることを特徴とする。
【００２２】
上記課題を解決する本発明は、情報処理装置のプログラムであって、個別チャネルを持たない複数の移動局から収集された情報に基づいて、下り共通チャンネルの送信プロファイルを設定する処理と、前記設定された送信プロファイルに基づいて、下り共通チャンネルを制御する処理とを情報処理装置に実行させることを特徴とする。
【発明の効果】
【００２３】
本発明は、無線アクセスネットワーク制御システムが個別チャネルを持たない複数の移動局から情報を収集し、収集された情報に基づいて、下り共通チャンネルの送信プロファイルを設定するように構成されているので、個別チャネルを持たない移動局の下り共通チャンネルの送信プロファイルを最適化することができる。
【発明を実施するための最良の形態】
【００２４】
本発明の実施の形態を、図１を用いて説明する。
【００２５】
本発明は、無線アクセスネットワーク制御システム１と、複数の移動局２とを有する無線通信システムにおいて、無線アクセスネットワーク制御システム１が、個別チャネルを持たない複数の移動局２から情報を収集し、収集された情報に基づいて、下り共通チャンネルの送信プロファイルを設定することを特徴とする。
【００２６】
ここで、無線アクセスネットワーク制御システム１は、下り共通チャンネルの送信プロファイルを設定するものであり、例えば、基地局と、この基地局を制御する基地局制御装置（ＲＮＣ）や、基地局制御装置（ＲＮＣ）の全機能またはその一部機能を持った基地局等である。
【００２７】
また、無線アクセスネットワーク制御システム１が情報を収集する移動局は個別チャネルを持たない移動局であり、例えば、ＣＥＬＬ＿ＦＡＣＨ状態の移動局、ＣＥＬＬ＿ＰＣＨ状態の移動局、ＵＲＡ＿ＰＣＨ状態の移動局である。尚、ＣＥＬＬ＿ＦＡＣＨ状態の移動局は上述した通りものである。また、ＣＥＬＬ＿ＰＣＨ状態の移動局は個別チャネルの割り当てがなく、上りの送信データがなく、下りはページングおよび報知情報のみ受信できる状態である。そして、移動局の位置を、基地局のセル単位で把握している。また、ＵＲＡ＿ＰＣＨ状態の移動局は、ＣＥＬＬ＿ＰＣＨ状態と同様な状態であるが、移動局の位置を、複数の基地局制御装置および複数の基地局で構成されるネットワーク（RAN：Radio Access Network）単位で把握している。
【００２８】
無線アクセスネットワーク制御システム１が収集する情報は、下り共通チャネルで移動局に送信されるデータに対する応答通知情報等であり、例えば、下り共通チャネルで基地局から送信されたデータを移動局で測定して得られた無線品質や、データが正常に受信できたかどうかの判定結果（ＡＣＫやＮＡＣＫ）等である。これらの情報は、例えばPRACHのような上り共通チャネルを用い、例えば、RLC Status Reportとして、移動局２から無線アクセスネットワーク制御システム１に通知される。
【００２９】
無線アクセスネットワーク制御システム１では、収集した情報に基づいて下り共通チャンネルの送信プロファイルを設定する。送信プロファイルの設定の方法であるが、通知される情報のサンプリング数Ｘ個分を収集し、それらの受信品質やNACK率に基づいて、これらの状況を改善する方向に送信プロファイルを設定する。具体的には、下り共通チャンネルにおける、送信電力、ＭＣＳ（Modulation and coding scheme）、再送処理に関するデータの再送回数やデータの再送間隔等である。
【００３０】
以下、本発明の具体的な実施例について図面を参照して詳細に説明する。
＜第１の実施例＞
第１の実施例は、無線アクセスネットワーク制御システムが、基地局とこの基地局を制御する基地局制御装置（ＲＮＣ）とから構成され、個別チャネルを持たない複数の移動局がＣＥＬＬ＿ＦＡＣＨ状態の移動局であり、これらの移動局は上り共通チャネルPRACHを用いてRLC Status Reportを基地局制御装置に送信する場合について説明する。また、第１の実施例では送信プロファイルの設定の例として、無線アクセスネットワーク制御システムが収集した情報から、下りチャネルの再送間隔を適切なものに設定する例について説明する。
【００３１】
図２は第１の実施例のシステム構成を示す図である。
【００３２】
図２に示す如く、第１の実施例のシステムは、複数の移動局２と、基地局３と、この基地局３を制御する基地局制御装置４とから構成される。
【００３３】
図３は第１の実施例の移動局２の基本構成の一例を示すブロック図である。
【００３４】
図３を参照すると、移動局２は、送信処理部１００と、品質管理部１０１と、送信データ制御部１０２と、受信データ合成部１０３と、受信処理部１０４とから構成されている。
【００３５】
送信処理部１００は送信データ制御部１０２から送られてくるデータを基地局へ送信する。
【００３６】
品質監視部１０１は、基地局からのデータを受信処理部１０４で受信して、その無線品質を測定し、送信データ制御部１０２へ報告する。
【００３７】
送信データ制御部１０２は品質監視部１０１から無線品質報告を受け取り、受信データ合成部１０３からデータが正常に受信できたかどうかの判定結果（ＡＣＫ／ＮＡＣＫ）を受け取る。これらの報告情報を送信処理部１００へ転送する。
【００３８】
受信データ合成部１０３は基地局からの送信データおよび再送データをバッファリングして合成を行う。その際に、正常に合成できたかどうかの判定結果を送信データ選択部１０２へ報告する。
【００３９】
受信処理部１０４は基地局からのデータを受信する。
【００４０】
図４は第１の実施例の基地局３の基本構成の一例を示すブロック図である。
【００４１】
図４を参照すると、基地局３は、上り方向の送信処理部２００と、上り方向の受信処理部２０１と、下り方向の受信処理部２０２と、送信プロファイル処理部２０３と、下り方向の送信処理部２０４とから構成されている。
【００４２】
送信処理部２００は受信処理部２０１からデータを受け取り、基地局制御装置へ送信する。
【００４３】
受信処理部２０１は移動局からのデータを受信し、そのデータを送信処理部２００へ転送する。
【００４４】
受信処理部２０２は基地局制御装置からのデータを受信し、送信プロファイルの制御データの場合は送信プロファイル処理部２０３へ転送し、それ以外の場合は送信処理部２０４へ転送する。
【００４５】
送信プロファイル処理部２０３は受信処理部２０３から転送されてきた基地局制御装置の送信プロファイル制御データを受信し、その情報に基づいて送信処理部２０４での再送制御を行う。
【００４６】
送信処理部２０４は受信処理部２０２から転送されてきたデータを移動局へ送信するが、その際に再信プロファイル処理部２０３から指示された送信プロファイルに基づいて送信を行う。
【００４７】
図５は第１の実施例の基地局制御装置４の基本構成の一例を示すブロック図である。
【００４８】
図５を参照すると、基地局制御装置は、転送処理部３００と、受信処理部３０１と、品質情報処理部３０２と、送信プロファイル設定部３０３と、基地局へデータを送信する下り送信処理部３０４とから構成される。
【００４９】
転送処理部３００はコアネットワークとデータの送受信を行っている。
【００５０】
受信処理部３０１は基地局からのデータを受信する。
【００５１】
品質情報処理部３０２は移動局から報告される品質報告を収集分析したのちに送信プロファイル設定部３０３に報告する。
【００５２】
送信プロファイル設定部３０４は、品質情報処理部３０２から報告される情報に基づいて基地局での送信プロファイルを決定し、再送処理部３０４を通して基地局へ送信プロファイルを指示する。
【００５３】
送信処理部３０４はデータを基地局へ送信する。
【００５４】
次に、第１の実施例の無線通信システムの動作について、図６を参照して説明する。
【００５５】
基地局制御装置４から送信されるデータに対して、移動局２は上り共通チャネルPRACHを用いてRLC Status Reportを基地局制御装置４に送信する。上り共通チャネルPRACHで送信されるデータは基地局制御装置４で終端されるため、基地局３は通過するのみである。
【００５６】
基地局制御装置４にある品質情報処理部３０２は、移動局２から送信されるRLC Status Reportをサンプリング数Ｘ個分収集し、NACK率Rnを求め、送信プロファイル設定部３０３はその結果を基に再送間隔INTVの値を決定し、基地局３にある送信プロファイル処理部２０３へ送信する。送信プロファイル処理部２０３はその送信プロファイルを基に再送制御を行う。
【００５７】
図７は、送信プロファイルの制御としてn回目の再送間隔INTV(n)を動的に変更した場合の送信プロファイル設定部４０３の動作を示すフローチャートである。尚、再送間隔INTV(n)の変更であるがは、最小再送間隔INTV(MIN)と最大再送間隔INTV(MAX)とが予め設定されており、この範囲で再送間隔の調整が行われるものとする。
【００５８】
まず、送信プロファイル設定部４０３は、再送間隔INTV(n)を前回長くしたかのチェックを行う（ステップA1）。再送間隔INTV(n)を前回長くしていない場合には、ステップA3に進む。
【００５９】
再送間隔INTV(n)を前回長くした場合には、品質情報処理部４０２からのNACK率Rn(n)と、前回のNACK率Rn(n-1)とを比較する（ステップA2）。
【００６０】
ステップA2において、Rn(n)＜Rn(n-1)であれば再送間隔を変更したことにより、品質改善の効果が出ているので、ステップA3へ進む。一方、Rn(n)≧Rn(n-1)の場合、再送間隔を変更しても品質改善の効果が出ていないことを示しているので、再送間隔を変更前に戻し（ステップA5）、ステップA1へ戻る。なお、このステップA2において、Rn(n)≧Rn(n-1)の場合、すなわち、再送間隔を変更しても品質改善の効果が出ていない場合には再送間隔を変更前に戻す処理（ステップA5）を行っているが、この処理は送信プロファイルの変更には必ずしも必要な処理ではなく、この処理がなくても送信プロファイルの変更は実現できる。しかしながら、品質改善の効果が出ていない場合に送信プロファイルの変更を抑制できると言う点で、これらの処理があることが望ましい。
【００６１】
ステップA2において、Rn(n)＜Rn(n-1)であれば、更に、今回のNACK率Rn(n)と、予め設定されているNACK率の閾値Tとを比較する（ステップA3）。
【００６２】
この動作の例を図８および表１に示す。
【００６３】
このとき、サンプリング数XはRn(n)の精度が十分に高くなるように設定し、サンプリングは周期的に行う。
【００６４】
【表１】
2008306416.tif 000003
NACK率Rn(n)がTよりも小さい場合、無線品質が良好と判断し、再送間隔INTVを短くしてスループットを改善する処理を行う（ステップA4）。ステップA4では下記の式に従って処理を行う。
【００６５】
INTV(n+1)=MAX(INTV(n)-M,INTV(MIN))
ここでMは任意の間隔幅の変数値を示す。
【００６６】
この処理を行い、ステップA1へ戻る。
【００６７】
NACK率Rn(n)がTよりも大きい場合、無線品質が劣化と判断し、再送間隔INTVを長くして無線品質を改善する処理を行う（ステップA6）。ステップA6では下記の式に従って処理を行う。
【００６８】
INTV(n+1)=MIN(INTV(n)+N,INTV(MAX))
ここでNは任意の間隔幅の変数値を示す。
【００６９】
ステップA6の処理後、ステップA1へ進む。
【００７０】
以上の如く、第１の実施例によれば、移動局から送信されるRLC Status Reportから導出されるNACK率Rnに基づいて送信プロファイルを設定するので、上り共通チャネルPRACHの負荷、電力リソース、コードリソースや上りノイズフロアを増加させることなく、下りチャネルの送信プロファイルを最適化することが可能となる。
【００７１】
また、RLC Status Reportは定期的に送信されるため、従来技術より安定かつ短い間隔で下りチャネルの送信プロファイルを更新することが可能となる。
【００７２】
更に、移動局からのRLC Status Reportを基に、下り共通チャネルの再送間隔を動的に変更することで、先に送信したデータと再送したデータの相関関係が小さくなるため前記移動局におけるデータ合成品質を最適化することが期待できる。その結果、チャネルの電力リソースやコードリソースを増加させることなく、前記移動局の受信レベルに応じて通信品質の改善を図ることが可能となる。
＜第２の実施例＞
次に、本発明の第２の実施例について図面を参照して詳細に説明する。
【００７３】
システム全体の構成は第１の実施例と同様であり、動作は図９に示されるように、NACK率Rnから設定する送信プロファイルが、再送回数CNTである点が異なる。
【００７４】
また、本実施例の無線通信システムの各構成は、図３〜図５に示された第１の実施例と同様なものであるが、送信プロファイル設定部３０３における動作が異なるので、送信プロファイル設定部３０３の動作の説明を行い、他については詳細な説明を省略する。
【００７５】
次に、本実施例の動作について図面を参照して説明する。
【００７６】
図１０は、送信プロファイルの制御として再送回数CNTを動的に変更した場合の送信プロファイル設定部４０３の動作を示すフローチャートである。尚、再送回数CNT(n)の変更であるがは、最小再送回数CNT(MIN)と最大再送回数CNT (MAX)とが予め設定されており、この範囲で再送間隔の調整が行われるものとする。
【００７７】
まず、送信プロファイル設定部４０３は、再送回数CNT(n)を前回多くしたかのチェックを行う（ステップB1）。再送回数CNT (n)を前回多くしていない場合には、ステップB3に進む。
【００７８】
再送回数CNT (n)を前回多くした場合には、品質情報処理部４０２からのNACK率Rn(n)と、前回のNACK率Rn(n-1)とを比較する（ステップB2）。
【００７９】
ステップB2において、Rn(n)＜Rn(n-1)であれば再送回数を変更したことにより、品質改善の効果が出ているので、ステップB3へ進む。一方、Rn(n)≧Rn(n-1)の場合、再送回数を変更しても品質改善の効果が出ていないことを示しているので、再送間隔を変更前に戻し（ステップB5）、ステップB1へ戻る。なお、このステップB2において、Rn(n)≧Rn(n-1)の場合、すなわち、再送回数を変更しても品質改善の効果が出ていない場合には再送回数を変更前に戻す処理（ステップB5）を行っているが、この処理は送信プロファイルの変更には必ずしも必要な処理ではなく、この処理がなくても送信プロファイルの変更は実現できる。しかしながら、品質改善の効果が出ていない場合に送信プロファイルの変更を抑制できると言う点で、これらの処理があることが望ましい。
【００８０】
ステップB2において、Rn(n)＜Rn(n-1)であれば、更に、今回のNACK率Rn(n)と、予め設定されているNACK率の閾値Tとを比較する（ステップB3）。
【００８１】
Rn(n)がTよりも小さい場合、無線品質が良好と判断し、送信回数CNTを減らしてスループットを改善する処理を行う（ステップB4）。ステップB4では下記の式に従って処理を行う。
【００８２】
CNT(n+1)=MAX(CNT(n)-M,CNT(MIN))
ここでMは任意の間隔幅の変数値を示す。
【００８３】
この処理を行い、ステップB1へ戻る。
【００８４】
Rn(n)がTよりも大きい場合、無線品質が劣化と判断し、送信回数CNTを多くして無線品質を改善する処理を行う（ステップB6）。ステップB6では下記の式に従って処理を行う。
【００８５】
CNT(n+1)=MIN(CNT(n)+N,CNT(MAX))
ここでNは任意の間隔幅の変数値を示す。
【００８６】
この処理を行い、ステップB1へ戻る。
【００８７】
以上の如く、第２の実施例によれば、移動局からのRLC Status Reportを基に、下り共通チャネルの再送回数を動的に変更することで、移動局のデータ合成品質を最適化することができる。その結果、移動局の受信レベルに応じて通信品質の改善を図ることが可能となる。
＜第３の実施例＞
次に、本発明の第３の実施例について図面を参照して詳細に説明する。
【００８８】
システム全体の構成は第１の実施例と同様であり、動作は図１１に示されるように、NACK率Rnから設定する送信プロファイルが、MCS値である点が異なる。
【００８９】
また、本実施例の無線通信システムの各構成は、図３〜図５に示された第１の実施例と同様なものであるが、送信プロファイル設定部３０３における動作が異なるので、送信プロファイル設定部３０３の動作の説明を行い、他については詳細な説明を省略する。
【００９０】
次に、本実施例の動作について図面を参照して説明する。
【００９１】
図１２は、送信プロファイルの制御として、非特許文献２に規定されているMCS Tableが表す変数MCSを動的に変更した場合の送信プロファイル設定部４０３の動作を示すフローチャートである。尚、MCSは、最小MCS値MCS (MIN)と最大MCS値MCS (MAX)とが設定されており、この範囲で調整されるものとする。
【００９２】
まず、送信プロファイル設定部４０３は、MCSを前回小さくしたかのチェックを行う（ステップC1）。MCS(n)を前回小さくしていない場合には、ステップC3に進む。
【００９３】
MCS(n)を前回小さくした場合には、品質情報処理部４０２からのNACK率Rn(n)と、前回のNACK率Rn(n-1)とを比較する（ステップC2）。
【００９４】
ステップC2において、Rn(n)＜Rn(n-1)であればMCSを変更したことにより、品質改善の効果が出ているので、ステップC3へ進む。一方、Rn(n)≧Rn(n-1)の場合、MCSを変更しても品質改善の効果が出ていないことを示しているので、MCSを変更前に戻し（ステップC5）、ステップC1へ戻る。なお、このステップC2において、Rn(n)≧Rn(n-1)の場合、すなわち、MCSを変更しても品質改善の効果が出ていない場合にはMCSを変更前に戻す処理（ステップC5）を行っているが、この処理は送信プロファイルの変更には必ずしも必要な処理ではなく、この処理がなくても送信プロファイルの変更は実現できる。しかしながら、品質改善の効果が出ていない場合に送信プロファイルの変更を抑制できると言う点で、これらの処理があることが望ましい。
【００９５】
ステップC2において、Rn(n)＜Rn(n-1)であれば、更に、今回のNACK率Rn(n)と、予め設定されているNACK率の閾値Tとを比較する（ステップC3）。
【００９６】
NACK率Rn(n)がTよりも小さい場合、無線品質が良好と判断し、MCSを大きくしてスループットを改善する処理を行う（ステップC4）。ステップC4では下記の式に従って処理を行う。
【００９７】
MCS(n+1)=MIN(MCS(n)+M,MCS(MAX))
ここでMは任意の間隔幅の変数値を示す。
【００９８】
この処理を行い、ステップC1へ戻る。
【００９９】
NACK率Rn(n)がTよりも大きい場合、無線品質が劣化と判断し、MCSを小さくして無線品質を改善する処理を行う（ステップC6）。ステップC6では下記の式に従って処理を行う。
【０１００】
MCS(n+1)=MAX(MCS(n)-N,MCS(MIN))
ここでNは任意の間隔幅の変数値を示す。
【０１０１】
この処理を行い、ステップC1へ戻る。
【０１０２】
以上の如く、第３の実施例によれば、移動局からのRLC Status Reportを基に、下り共通チャネルのMCS値を動的に変更することで、移動局の受信レベルに合った送信プロファイルを選択することができ、移動局の通信品質を改善することが可能となる。
＜第４の実施例＞
次に、本発明の第４の実施例について図面を参照して詳細に説明する。
【０１０３】
システム全体の構成は第１の実施例と同様であり、動作は図１３に示されるように、NACK率Rnから設定する送信プロファイルが、送信電力である点が異なる。
【０１０４】
また、本実施例の無線通信システムの各構成は、図３〜図５に示された第１の実施例と同様なものであるが、送信プロファイル設定部３０３における動作が異なるので、送信プロファイル設定部３０３の動作の説明を行い、他については詳細な説明を省略する。
【０１０５】
次に、本実施例の動作について図面を参照して説明する。
【０１０６】
図１４は、送信プロファイルの制御として、送信電力TPを動的に変更した場合の送信プロファイル設定部４０３の動作を示すフローチャートである。尚、送信電力TPは、最小送信電力値TP(MIN)と最大電力値TP(MAX)とが設定されており、この範囲で調整されるものとする。
【０１０７】
まず、送信プロファイル設定部４０３は、送信電力TPを前回大きくしたかのチェックを行う（ステップD1）。送信電力TP(n)を前回大きくしていない場合には、ステップD3に進む。
【０１０８】
送信電力TP (n)を前回大きくした場合には、品質情報処理部４０２からのNACK率Rn(n)と、前回のNACK率Rn(n-1)とを比較する（ステップD2）。
【０１０９】
ステップD2において、Rn(n)＜Rn(n-1)であれば送信電力を変更したことにより、品質改善の効果が出ているので、ステップD3へ進む。一方、Rn(n)≧Rn(n-1)の場合、送信電力を変更しても品質改善の効果が出ていないことを示しているので、送信電力を変更前に戻し（ステップD5）、ステップD1へ戻る。なお、このステップD2において、Rn(n)≧Rn(n-1)の場合、すなわち、送信電力を変更しても品質改善の効果が出ていない場合には送信電力を変更前に戻す処理（ステップD5）を行っているが、この処理は送信プロファイルの変更には必ずしも必要な処理ではなく、この処理がなくても送信プロファイルの変更は実現できる。しかしながら、品質改善の効果が出ていない場合に送信プロファイルの変更を抑制できると言う点で、これらの処理があることが望ましい。
【０１１０】
ステップD2において、Rn(n)＜Rn(n-1)であれば、更に、今回のNACK率Rn(n)と、予め設定されているNACK率の閾値Tとを比較する（ステップD3）。
【０１１１】
NACK率Rn(n)がTよりも小さい場合、無線品質が良好と判断し、送信電力TPを大きくしてスループットを改善する処理を行う（ステップD4）。ステップD4では下記の式に従って処理を行う。
【０１１２】
TP(n+1)=MIN(TP(n)+M,TP(MAX))
ここでMは任意の間隔幅の変数値を示す。
【０１１３】
この処理を行い、ステップD1へ戻る。
【０１１４】
NACK率Rn(n)がTよりも大きい場合、無線品質が劣化と判断し、送信電力TPを小さくして無線品質を改善する処理を行う（ステップD6）。ステップD6では下記の式に従って処理を行う。
【０１１５】
TP(n+1)=MAX(TP(n)-N,TP(MIN))
ここでNは任意の間隔幅の変数値を示す。
【０１１６】
この処理を行い、ステップD1へ戻る。
【０１１７】
以上の如く、第４の実施例によれば、移動局からのRLC Status Reportを基に、下り共通チャネルの送信電力を動的に変更することで、移動局の受信レベルに合った送信プロファイルを選択することができ、移動局の通信品質を改善することが可能となる。
＜第５の実施例＞
次に、第５の実施例について図面を参照して詳細に説明する。
【０１１８】
移動局は第１の実施例と同様な構成である。図１５は本発明の第５の実施例で用いられる基地局の基本構成の一例を示すブロック図である。この構成は、図５における基地局制御装置の機能が図４の基地局内に収容されているのと同等である。
【０１１９】
転送処理部４００は転送処理部３００と同等の機能を有する。
【０１２０】
受信処理部４０１は受信処理部２０１と同等の機能を有する。
【０１２１】
品質情報処理部４０２は品質情報処理部３０２と同等の機能を有する。
【０１２２】
送信プロファイル設定部４０３は送信プロファイル設定部３０３と同等の機能であるが、決定した送信プロファイルは直接送信プロファイル処理部４０４へ転送される。
【０１２３】
送信プロファイル処理部４０４は送信プロファイル処理部２０３と同等であるが、送信プロファイルは送信プロファイル設定部４０３から直接指示される。
【０１２４】
送信処理部４０５は送信処理部２０４と同等の機能を有する。
【０１２５】
次に、本実施例の無線通信システムの動作について図面を参照して説明する。
【０１２６】
図１６は無線通信システムの動作を説明する為の図である。
【０１２７】
基地局から送信されるデータに対して、移動局は上り共通チャネルPRACHを用いてRLC Status Reportを基地局に送信する。
【０１２８】
基地局にある品質情報処理部４０２にて移動局から送信されるRLC Status Reportをサンプリング数Ｘ個分収集し、NACK率Rnを求め、送信プロファイル設定部４０３はその結果を基に再送間隔INTVの値を決定し、同じ基地局内にある送信プロファイル処理部４０４へ転送する。送信プロファイル処理部４０４はその送信プロファイルを基に再送制御を行う。
【０１２９】
送信プロファイルの制御として再送間隔INTVを動的に変更した場合の送信プロファイル設定部４０３の動作を示すフローチャートは図７と同じである。
【０１３０】
第１の実施例と構成は異なるが、動作および効果は同等であるため、その説明は省略する。
＜第６の実施例＞
次に、第６の実施例について図面を参照して詳細に説明する。
【０１３１】
本実施例の無線通信システムの構成は、第５の実施例の無線通信システムに対して、送信プロファイル設定部４０３における動作が一部異なるのみで他の点においては同様であるため、その説明は省略する。
【０１３２】
次に、本実施例の無線通信システムの動作について図面を参照して説明する。
【０１３３】
図１７は無線通信システムの動作を説明する為の図である。
【０１３４】
基地局から送信されるデータに対して、移動局は上り共通チャネルPRACHを用いてRLC Status Reportを基地局に送信する。
【０１３５】
基地局にある品質情報処理部４０２にて移動局から送信されるRLC Status Reportをサンプリング数Ｘ個分収集し、NACK率Rnを求め、送信プロファイル設定部４０３はその結果を基に再送回数CNTの値を決定し、同じ基地局内にある送信プロファイル処理部４０４へ転送する。送信プロファイル処理部４０４はその送信プロファイルを基に再送制御を行う。
【０１３６】
送信プロファイルの制御として再送回数CNTを動的に変更した場合の送信プロファイル設定部４０３の動作を示すフローチャートは、図１０と同じである。
【０１３７】
第２の実施例と構成は異なるが、動作および効果は同等であるため、その説明は省略する。
＜第７の実施例＞
次に、第７の実施例について図面を参照して詳細に説明する。
【０１３８】
本実施例の無線通信システムの構成は、第５の実施例の無線通信システムに対して、送信プロファイル設定部４０３における動作が一部異なるのみで他の点においては同様であるため、その説明は省略する。
【０１３９】
次に、本実施例の無線通信システムの動作について図面を参照して説明する。
【０１４０】
図１８は無線通信システムの動作を説明する為の図である。
【０１４１】
基地局から送信されるデータに対して、移動局は上り共通チャネルPRACHを用いてRLC Status Reportを基地局に送信する。
【０１４２】
基地局にある品質情報処理部４０２にて移動局から送信されるRLC Status Reportをサンプリング数Ｘ個分収集し、NACK率Rnを求め、送信プロファイル設定部４０３はその結果を基にMCSの値を決定し、同じ基地局内にある送信プロファイル処理部４０４へ転送する。送信プロファイル処理部４０４はその送信プロファイルを基に再送制御を行う。
【０１４３】
送信プロファイルの制御として、MCSを動的に変更した場合の送信プロファイル設定部４０３の動作を示すフローチャートは図１２と同じである。
【０１４４】
第３の実施例と構成は異なるが、動作および効果は同等であるため、その説明は省略する。
＜第８の実施例＞
次に、第８の実施例について図面を参照して詳細に説明する。
【０１４５】
本実施例の無線通信システムの構成は、第５の実施例の無線通信システムに対して、送信プロファイル設定部４０３における動作が一部異なるのみで他の点においては同様であるため、その説明は省略する。
【０１４６】
次に、本実施例の無線通信システムの動作について図面を参照して説明する。
【０１４７】
図１９は無線通信システムの動作を説明する為の図である。
【０１４８】
基地局から送信されるデータに対して、移動局は上り共通チャネルPRACHを用いてRLC Status Reportを基地局に送信する。
【０１４９】
基地局にある品質情報処理部４０２にて移動局から送信されるRLC Status Reportをサンプリング数Ｘ個分収集し、NACK率Rnを求め、送信プロファイル設定部４０３はその結果を基に送信電力の値を決定し、同じ基地局内にある送信プロファイル処理部４０４へ転送する。送信プロファイル処理部４０４はその送信プロファイルを基に再送制御を行う。
【０１５０】
送信プロファイルの制御として、送信電力を動的に変更した場合の送信プロファイル設定部４０３の動作を示すフローチャートは図１４と同じである。
【０１５１】
第４の実施例と構成は異なるが、動作および効果は同等であるため、その説明は省略する。
＜第９の実施例＞
本発明の第９の実施例を説明する。
【０１５２】
第９の実施例は、上述した第１の実施例から第８の実施例における基地局制御装置又は基地局を情報処理装置で構成した実施例である。
【０１５３】
図２０は本発明による基地局制御装置又は基地局をインプリメントした情報処理装置の一般的ブロック構成図である。
【０１５４】
図２０に示す情報処理装置は、プロセッサ５０、プログラムメモリ５１，記憶媒体５２からなる。
【０１５５】
記憶媒体５２には、例えば、RLC Status Reportをサンプリング数Ｘや、前回のNACK率Rn等、上述した送信プロファイルの設定に必要な情報が記憶されている。尚、記憶媒体５２は、別個の記憶媒体であってもよいし、同一の記憶媒体からなる記憶領域であってもよい。記憶媒体としては、ＲＡＭや、ハードディスク等の磁気記憶媒体を用いることができる。
【０１５６】
プログラムメモリ５１には、上述した基地局制御装置又は基地局の動作の処理を、プロセッサ５０に行わせるプログラムが格納されており、このプログラムによってプロセッサ５０は動作する。尚、上述した全ての動作をプログラムで実行させる必要はなく、それらの一部の処理でも良い。
【０１５７】
このような構成により、上述した第１から第８の実施の形態と同様な動作を得ることができる。
＜第１０の実施例＞
本発明の第１０の実施例を説明する。
【０１５８】
本実施例の無線通信システムの構成は、第１から第４の実施例のいずれかの無線通信システムに対して、送信処理部４０５における動作が一部異なるのみで他の点においては同様であるため、その説明は省略する。
【０１５９】
基地局制御装置は基地局に送信するHS-DSCHのフィールドのうち、HeaderのRACHにより受信した測定結果を含むことができるフィールドに、送信電力、再送回数、再送間隔の少なくともいずれか一つを含ませることができる。
【０１６０】
HS-SCCHやHS-PDSCH送信の際に基地局装置にあるHS-DSCHのスケジューラは上述したHS-DSCHのHeaderに含まれている情報をMCSや下り送信電力、再送処理の設定などを決めるために使うことができる
【０１６１】
基地局制御装置はRACHで情報を受信した移動局の状況に応じてHS-SCCHやHS-PDSCHの送信プロファイルを作成することにより、複数のCELL_FACH状態にある移動局のリンクアダプテーションを実施することができる。
【０１６２】
基地局制御装置はEnhanced CELL_FACH状態にある移動局が通知するRLC Status Reportを集めることで得られるセル内のEnhanced CELL_FACH移動局状況をもとに送信プロファイルを作成することによりリンクアダプテーションを実施することもできる。
【図面の簡単な説明】
【０１６３】
【図１】図１は本発明の実施の形態を説明する為の図である。
【図２】図２は第１の実施例のシステム構成を示す図である。
【図３】図３は第１の実施例の移動局２の基本構成の一例を示すブロック図である。
【図４】図４は第１の実施例の基地局３の基本構成の一例を示すブロック図である。
【図５】図５は第１の実施例の基地局制御装置４の基本構成の一例を示すブロック図である。
【図６】図６は第１の実施例の無線通信システムの動作を説明する為の図である。
【図７】図７は送信プロファイルの制御としてn回目の再送間隔INTV(n)を動的に変更した場合の送信プロファイル設定部４０３の動作を示すフローチャートである。
【図８】図８は第１の実施例の無線通信システムの動作を説明する為の図である。
【図９】図９は第１の実施例の無線通信システムの動作を説明する為の図である。
【図１０】図１０は送信プロファイルの制御として再送回数CNTを動的に変更した場合の送信プロファイル設定部４０３の動作を示すフローチャートである。
【図１１】図１１は第３の実施例の無線通信システムの動作を説明する為の図である。
【図１２】図１２は送信プロファイルの制御として、MCS Tableが表す変数MCSを動的に変更した場合の送信プロファイル設定部４０３の動作を示すフローチャートである。
【図１３】図１３は第４の実施例の無線通信システムの動作を説明する為の図である。
【図１４】図１４は送信プロファイルの制御として、送信電力TPを動的に変更した場合の送信プロファイル設定部４０３の動作を示すフローチャートである。
【図１５】図１５は本発明の第５の実施例で用いられる基地局の基本構成の一例を示すブロック図である。
【図１６】図１６は第５の実施例の無線通信システムの動作を説明する為の図である。
【図１７】図１７は第６の実施例の無線通信システムの動作を説明する為の図である。
【図１８】図１８は第７の実施例の無線通信システムの動作を説明する為の図である。
【図１９】図１９は第８の実施例の無線通信システムの動作を説明する為の図である。
【図２０】図２０は本発明による基地局制御装置又は基地局をインプリメントした情報処理装置の一般的ブロック構成図である。
【図２１】図２１は従来技術を説明する為の図である。
【図２２】図２２は従来技術を説明する為の図である。
【符号の説明】
【０１６４】
１                        無線アクセスネットワーク制御システム
２                        移動局
３                        基地局
４                        基地局制御装置
100、200、204、304、405   送信処理部
101                       品質監視部
102                       送信データ制御部
103                       受信データ合成部
104、201、202、301、401   受信処理部
203、404                  送信プロファイル処理部
300、400                  転送処理部
302、402                  品質情報処理部
303、403                  送信プロファイル設定部
【図１】
2008306416.tif 000004
【図２】
2008306416.tif 000005
【図３】
2008306416.tif 000006
【図４】
2008306416.tif 000007
【図５】
2008306416.tif 000008
【図６】
2008306416.tif 000009
【図７】
2008306416.tif 000010
【図８】
2008306416.tif 000011
【図９】
2008306416.tif 000012
【図１０】
2008306416.tif 000013
【図１１】
2008306416.tif 000014
【図１２】
2008306416.tif 000015
【図１３】
2008306416.tif 000016
【図１４】
2008306416.tif 000017
【図１５】
2008306416.tif 000018
【図１６】
2008306416.tif 000019
【図１７】
2008306416.tif 000020
【図１８】
2008306416.tif 000021
【図１９】
2008306416.tif 000022
【図２０】
2008306416.tif 000023
【図２１】
2008306416.tif 000024
【図２２】
2008306416.tif 000025